(57)【要約】【課題】開封時に基体表面の剥離が生じることがなく、商品の説明等を広い面積に印刷でき、再封緘が可能なブリスターパックを提供する。【解決手段】ブリスター体１と基体２とから成り、基体２を表板３と裏板４とが繋がれた構成とし、表板３に内背部５を、裏板４に切裂帯６及び裏蓋部７をそれぞれ切目を入れて形成し、切裂帯６及び裏蓋部７をなす切目を、裏板４の表裏から入れた二本の半切線８がずれて並行するものとし、裏蓋部７の先端に係合片９を設け、この係合片９に対応して表板３に係合切込１０を形成し、内背部５を切り開いて形成した窓部にブリスター体１を嵌め込み、ブリスター体１の内部に商品を収納して、内背部５を商品の背側に沿わせ、内背部５を裏蓋部７で覆うようにして、ブリスター体１のフランジ１１を表板３と裏板４の間に挟み込み、表板３と裏板４とを裏蓋部７及び切裂帯６の外側部分で貼り合わせる。【選択図】図１
2006027657.tif 000002
【特許請求の範囲】
【請求項１】
プラスチックを成形したブリスター体と、これを保持する紙製の基体とから成るブリスターパックにおいて、前記基体を表板と裏板とが繋がれた構成とし、表板に内背部を、裏板に切裂帯及び裏蓋部をそれぞれ切目を入れて形成し、切裂帯及び裏蓋部をなす切目を、裏板の表裏から入れた二本の半切線がずれて並行するものとし、裏蓋部の先端に係合片を設け、この係合片に対応して表板に係合切込を形成し、内背部を切り開いて形成した窓部にブリスター体を嵌め込み、ブリスター体の内部に商品を収納して、内背部を商品の背側に沿わせ、内背部を裏蓋部で覆うようにして、ブリスター体のフランジを表板と裏板の間に挟み込み、表板と裏板とを裏蓋部及び切裂帯の外側部分で貼り合わせるようにしたことを特徴とするブリスターパック。
【発明の詳細な説明】
【技術分野】
【０００１】
この発明は、各種商品の包装に使用するブリスターパックに関するものである。
【背景技術】
【０００２】
例えば、チューブ入り接着剤のような商品を包装するブリスターパックとして、図６に示すように、プラスチックを成形したブリスター体５１と、このブリスター体５１を保持する紙製の基体５２とから構成され、ブリスター体５１の内部に商品を収納し、ブリスター体５１のフランジ５３を基体５２に接着剤で貼り付けるものが使用されている。
【発明の開示】
【発明が解決しようとする課題】
【０００３】
しかしながら、上記のようなブリスターパックでは、ブリスター体５１を基体５２から引き剥がして開封すると、基体５２の表面が剥離して醜い外観を呈し、印刷された説明の記載が読みにくくなる恐れがあり、また、説明を印刷できる面積が狭いという問題もあった。さらに、使い残した商品を保管する際、再封緘できないという問題もあった。
【０００４】
そこで、この発明は、開封時に基体表面の剥離が生じることがなく、商品の説明等を広い面積に印刷でき、再封緘が可能なブリスターパックを提供することを課題とする。
【課題を解決するための手段】
【０００５】
上記課題を解決するため、この発明は、プラスチックを成形したブリスター体と、これを保持する紙製の基体とから成るブリスターパックにおいて、前記基体を表板と裏板とが繋がれた構成とし、表板に内背部を、裏板に切裂帯及び裏蓋部をそれぞれ切目を入れて形成し、切裂帯及び裏蓋部をなす切目を、裏板の表裏から入れた二本の半切線がずれて並行するものとし、裏蓋部の先端に係合片を設け、この係合片に対応して表板に係合切込を形成し、内背部を切り開いて形成した窓部にブリスター体を嵌め込み、ブリスター体の内部に商品を収納して、内背部を商品の背側に沿わせ、内背部を裏蓋部で覆うようにして、ブリスター体のフランジを表板と裏板の間に挟み込み、表板と裏板とを裏蓋部及び切裂帯の外側部分で貼り合わせるようにしたのである。
【発明の効果】
【０００６】
上記のようなブリスターパックでは、開封に際し、切裂帯を切り取って、裏蓋部及び内背部を開くと、裏板表面の剥離が半切線で阻止されるので、美観が維持され、裏板表面に印刷された説明の記載が読みにくくなることもない。
【０００７】
また、説明を裏蓋部の裏面に印刷することもできるので、広い印刷面積を確保でき、この場合にも、包装状態では、商品の背後に蓋裏部の説明ではなく、デザインを施した表板の内背部が見えるので、美粧性に優れ、商品のイメージを高めることができる。
【０００８】
そして、使い残した商品を保管しておく際には、内背部及び裏蓋部を閉じ、係合片を係合切込に差し込むと、再封緘することができる。
【発明を実施するための最良の形態】
【０００９】
以下、この発明の実施の形態を添付図面に基づいて説明する。
【００１０】
図１に示すように、このブリスターパックは、自動車の塗装面を研磨するコンパウンドのチューブ３本を商品として包装するものであり、プラスチックを成形した透明なブリスター体１と、これを保持する板紙製の基体２とから構成されている。ブリスター体１は、商品収納部の周囲にフランジ１１を設けた形状とされている。
【００１１】
一方、基体２のブランクは、図２に示すように、ブリスターパックの下端で表板３と裏板４とが繋がれた構成とされている。表板３には、門形の切目を入れて内背部５が形成され、裏板４には、全幅に亘る横方向の切目を入れて切裂帯６が形成されると共に、切裂帯６の両端内側から縦方向の切目を入れて裏蓋部７が形成されている。
【００１２】
切裂帯６及び裏蓋部７をなす切目は、裏板４の表裏から入れた二本の半切線８がずれて並行するものとされている。また、ブリスターパックの下部に位置する内背部５及び裏蓋部７の基端には、折目となる罫線及び半切線がそれぞれ表面及び裏面に入れられている。
【００１３】
さらに、裏蓋部７の先端中央部には、切裂帯６の切目に割り込むように全切線の切目を入れて係合片９が設けられ、この係合片９に対応して、表板３には弧状の係合切込１０が形成されている。
【００１４】
このような基体２のブランクを用いて、図１に示すように商品を包装する際には、内背部５を切り開いて形成した窓部にブリスター体１を嵌め込み、ブリスター体１の内部に商品を収納して、内背部５を商品の背側に沿わせ、図３に後方から示すように、内背部５を裏蓋部７で覆うようにして、ブリスター体１のフランジ１１を表板３と裏板４の間に挟み込み、表板３と裏板４とを裏蓋部７及び切裂帯６の外側部分で貼り合わせる。
【００１５】
上記のようなブリスターパックでは、開封に際し、切裂帯６を切り取って、図４に示すように、裏蓋部７及び内背部５を開くと、ブリスターパック１の内部から商品を取り出すことができ、このとき、裏板４の表面の剥離が半切線８で阻止されるので、美観が維持され、裏板４の表面に印刷された説明の記載が読みにくくなることもない。
【００１６】
また、商品の使用方法等の説明を裏蓋部７の裏面にも印刷することができるので、広い印刷面積を確保でき、この場合にも、図１に示すような包装状態では、商品の背後に蓋裏部７に印刷した説明の記載ではなく、デザインを施した表板３の内背部５が見えるので、美粧性に優れ、商品のイメージを高めることができる。
【００１７】
そして、使い残した商品を保管しておく際には、図４に示す状態から内背部５及び裏蓋部７を閉じ、図５に示すように、係合片９を係合切込１０に差し込むと、裏蓋部７が閉じた状態に保持され、再封緘することができる。
【図面の簡単な説明】
【００１８】
【図１】この発明に係るブリスターパックの包装状態を示す前方斜視図
【図２】同上の基体のブランクを示す図
【図３】同上の包装状態を示す後方斜視図
【図４】同上の開封状態を示す後方斜視図
【図５】同上の再封緘状態を示す後方斜視図
【図６】従来のブリスターパックの包装状態を示す前方斜視図
【符号の説明】
【００１９】
１  ブリスター体
２  基体
３  表板
４  裏板
５  内背部
６  切裂帯
７  裏蓋部
８  半切線
９  係合片
１０  係合切込
１１  フランジ
【図１】
2006027657.tif 000003
【図２】
2006027657.tif 000004
【図３】
2006027657.tif 000005
【図４】
2006027657.tif 000006
【図５】
2006027657.tif 000007
【図６】
2006027657.tif 000008